(57)【要約】【課題】平面型のディスプレイ装置の薄型化及び軽量化をより一層図ることを目的とする。【解決手段】前面側にパネル１０が配置される金属製のシャーシ部材１１と、このシャーシ部材１１の背面側を覆うように配設した金属製のバックカバー１４と、パネル１０の表示面に貼り付けることにより配置された透光性の前面フィルム１７とを備え、前面フィルム１７は、パネル１０の表示面側に配置された衝撃吸収フィルム１８と、この衝撃吸収フィルム１８の前面側に配置された光学フィルム１９と、衝撃吸収フィルム１８と光学フィルム１９との間に配置された電磁波シールドフィルム２０とを重ね合わせて一体化することにより構成し、かつシャーシ部材１１とバックカバー１４とを電気的かつ機械的に接続してシールド構造を構成するとともに、電磁波シールドフィルム２０の表出した導電部の外部接続部２０ａをバックカバー１４に電気的に接続したものである。【選択図】図３
2010230977.tif 000002
【特許請求の範囲】
【請求項１】
前面側にパネルが配置されかつ背面側にパネルに信号を印加して表示を行う回路ブロックが配置される金属製のシャーシ部材と、このシャーシ部材の回路ブロックが配置された背面側を覆うように配設した金属製のバックカバーと、このバックカバーとともに筐体を構成する前面枠と、前記パネルの表示面に貼り付けることにより配置された透光性の前面フィルムとを備え、前記前面フィルムは、前記パネルの表示面側に配置されかつ２枚の樹脂フィルム間に衝撃吸収層を設けた衝撃吸収フィルムと、この衝撃吸収フィルムの前面側に配置され特定の波長の光を吸収する光学フィルターを構成する光学フィルムと、前記衝撃吸収フィルムと前記光学フィルムとの間に配置されかつ電磁波シールドフィルターを構成する導電部の外部接続部が前記衝撃吸収フィルムの周縁部に表出するように配置した電磁波シールドフィルムとを重ね合わせて一体化することにより構成し、かつ前記シャーシ部材と前記バックカバーとを電気的かつ機械的に接続してシールド構造を構成するとともに、前記前面フィルムにおいて、前記電磁波シールドフィルムの表出した導電部の外部接続部をバックカバーに電気的に接続したことを特徴とするディスプレイ装置。
【請求項２】
前記前面フィルムは、厚みが０．５ｍｍ以上５．０ｍｍ以下であることを特徴とする請求項１に記載のディスプレイ装置。
【発明の詳細な説明】
【技術分野】
【０００１】
本発明は、薄型、軽量のプラズマディスプレイなどの平面型のディスプレイ装置に関するものである。
【背景技術】
【０００２】
平面型のディスプレイ装置として、液晶ディスプレイ、有機ＥＬディスプレイ、プラズマディスプレイ、フィールドエミッションディスプレイなどが開発されているが、以下プラズマディスプレイを例にとって、説明する。
【０００３】
プラズマディスプレイでは、ガス放電により紫外線を発生させ、この紫外線で蛍光体を励起して発光させカラー表示を行うパネル構造である。そして、パネルはガラス基板上に隔壁によって区画された複数の表示セルが設けられており、これに蛍光体層が形成されている構成を有する。
【０００４】
このようなプラズマディスプレイは、液晶ディスプレイに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
一般に、プラズマディスプレイの視聴側である前面には、前面保護ガラスなどを設置し、ガラスからなるパネルが外部から加えられる衝撃により割れるのを防ぐ構造が用いられている。
【０００６】
しかしながら、前面保護ガラスを配置する構成の場合、前面保護ガラスとパネルとの間に空気層があり、その屈折率の違いにより画像が２重に映るといった課題や、重量が重くかつコストも高くなるという課題があった。一方、前面保護ガラスの代わりに、耐衝撃性を有する樹脂フィルムからなる前面フィルムを用いることも考えられている（特許文献１参照）。
【特許文献１】特開２００３−３１６２７６号公報
【発明の開示】
【発明が解決しようとする課題】
【０００７】
本発明はこのような現状に鑑みなされたもので、平面型のディスプレイ装置の薄型化及び軽量化をより一層図ることを目的とするものである。
【課題を解決するための手段】
【０００８】
上記目的を達成するために本発明のディスプレイ装置は、前面側にパネルが配置されかつ背面側にパネルに信号を印加して表示を行う回路ブロックが配置される金属製のシャーシ部材と、このシャーシ部材の回路ブロックが配置された背面側を覆うように配設した金属製のバックカバーと、このバックカバーとともに筐体を構成する前面枠と、前記パネルの表示面に貼り付けることにより配置された透光性の前面フィルムとを備え、前記前面フィルムは、前記パネルの表示面側に配置されかつ２枚の樹脂フィルム間に衝撃吸収層を設けた衝撃吸収フィルムと、この衝撃吸収フィルムの前面側に配置され特定の波長の光を吸収する光学フィルターを構成する光学フィルムと、前記衝撃吸収フィルムと前記光学フィルムとの間に配置されかつ電磁波シールドフィルターを構成する導電部の外部接続部が前記衝撃吸収フィルムの周縁部に表出するように配置した電磁波シールドフィルムとを重ね合わせて一体化することにより構成し、かつ前記シャーシ部材と前記バックカバーとを電気的かつ機械的に接続してシールド構造を構成するとともに、前記前面フィルムにおいて、前記電磁波シールドフィルムの表出した導電部の外部接続部をバックカバーに電気的に接続したことを特徴とするものである。
【発明の効果】
【０００９】
本発明によれば、前面フィルムは、パネルの表示面側に配置されかつ２枚の樹脂フィルム間に衝撃吸収層を設けた衝撃吸収フィルムと、この衝撃吸収フィルムの前面側に配置され特定の波長の光を吸収する光学フィルターを構成する光学フィルムと、前記衝撃吸収フィルムと前記光学フィルムとの間に配置されかつ電磁波シールドフィルターを構成する導電部の一部が前記衝撃吸収フィルムの周縁部に表出するように配置した電磁波シールドフィルムとを重ね合わせて一体化することにより構成したことにより、前面保護ガラスを使用することなく、パネルに外部から衝撃が加えられても割れることがなく、しかもシャーシ部材とバックカバーとを電気的かつ機械的に接続してシールド構造を構成するとともに、前面フィルムにおいて、前記電磁波シールドフィルムの表出した導電部をバックカバーに電気的に接続した構成としたことにより、簡単な構成で、ディスプレイからの電磁波の不要輻射を抑制することができる。
【発明を実施するための最良の形態】
【００１０】
以下、本発明の一実施の形態によるディスプレイ装置について、プラズマディスプレイを例にとって図１〜図４の図面を用いて説明する。
【００１１】
まず、プラズマディスプレイにおけるパネルの構造について、図１を用いて説明する。図１に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１２】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面及びオーバーコート層６の表面に蛍光体層９が設けられている。
【００１３】
これらの基板１と基板５とは、スキャン電極及びサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１４】
このような電極構成のプラズマディスプレイにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１５】
図２、図３は上記で説明した構造のパネルを組み込んだプラズマディスプレイの全体構成の一例を示す分解斜視図及び断面図である。図において、パネル１０は、アルミニウム等からなるシャーシ部材１１の前面に熱伝導シート１１ａを介して接着することにより保持され、そしてシャーシ部材１１の背面側には、パネル１０を表示駆動させるための複数の回路ブロック１２が取り付けられ、これにより表示ユニットが構成されている。前記熱伝導シート（図示せず）は、パネル１０で発生した熱をシャーシ部材１１に効率よく伝え、放熱を行うためのものである。また、回路ブロックはパネル１０の表示駆動とその制御を行うための電気回路を備えており、パネル１０の縁部に引き出された電極引出部に、シャーシ部材１１の四辺の外縁部を跨ぐように越えて延びる複数のフレキシブル配線板１３によって電気的に接続されている。
【００１６】
前記表示ユニットを収容する筐体は、表示ユニットの回路ブロック１２が配置された背面側を覆うように配設した金属製のバックカバー１４と、前記表示ユニットのパネル１０の前面側に配置されかつ前記パネル１０の表示領域に対応した窓１５ａを有するとともに表示領域以外の周辺部を覆う金属または耐熱性の樹脂からなる前面枠１５とから構成されている。さらに、バックカバー１４には、パネル１０等で発生した熱を外部に放出するための複数の通気孔（図示せず）が設けられている。
【００１７】
そして、シャーシ部材１１の外周部には、突起部１６が設けられ、その突起部１６にバックカバー１４が電気的に接触させた状態でねじにより取り付けることにより、シャーシ部材１１の外周部と前記バックカバー１４の外周部とが電気的かつ機械的に接続されてシールド構造を構成している。
【００１８】
この構成により、シャーシ部材１１とバックカバー１４とで、シャーシ部材１１に配置した回路ブロック１２を電磁的にシールドすることができる。
【００１９】
また、前記パネル１０の表示面には、透光性の厚みが０．５ｍｍ以上５．０ｍｍ以下の前面フィルム１７が粘着材により貼り付けることにより配置されている。前記前面フィルム１７は、図３に示すように、前記パネル１０の表示面側に配置されかつ２枚の樹脂フィルム１８ａ間に衝撃吸収層１８ｂを設けた衝撃吸収フィルム１８と、この衝撃吸収フィルム１８の前面側に配置され、近赤外領域の波長及び可視光領域の特定の波長の光を吸収する光学フィルターを構成する光学フィルム１９と、前記衝撃吸収フィルム１８と前記光学フィルム１９との間に配置され、かつ電磁波シールドフィルターを構成する導電部の外部接続部２０ａが前記衝撃吸収フィルム１８の周縁部に表出するように配置した電磁波シールドフィルム２０とを重ね合わせ、粘着材により貼り付けて一体化することにより構成されている。さらに、前記前面フィルム１７には、外光の反射を抑制する反射防止フィルム２１が光学フィルム１９の表示面側に粘着材により貼り付けることにより一体に配置されている。また、前記前面フィルム１７において、前記電磁波シールドフィルム２０の表出した導電部の外部接続部２０ａは、導電性の押え部材２２を介してバックカバー１４に電気的に接続されている。
【００２０】
ここで、図４に示すように、前記各フィルム間は、粘着材２３により貼り付けられており、この粘着材２３の例としては、アクリル酸エステル共重合体、ポリ塩化ビニル、エポキシ樹脂、ポリウレタン、酢酸ビニル共重合体、スチレン−アクリル共重合体、ポリエステル、ポリアミド、ポリオレフィン、スチレン−ブタジエン共重合体ゴム、ブチルゴム、またはシリコーン樹脂等の粘着材を挙げることができる。さらに粘着材を積層する場合には、その粘着面にシリコーン樹脂またはフッ素樹脂は塗布されたＰＥＴ等の離型フィルムを貼付していくことが、作業性の点で好ましい。
【００２１】
次に、前記前面フィルム１７を構成するそれぞれのフィルムについて詳細に説明する。
【００２２】
まず、衝撃吸収フィルム１８は、厚みが１００μｍ以上で、２００μｍ〜５００μｍがより好ましい。この衝撃吸収フィルム１８の衝撃吸収層１８ｂとしては、熱硬化性樹脂あるいは光硬化性樹脂が用いられるが、ウレタン系樹脂、シリコーン系樹脂、フェノール系樹脂、エポキシ樹脂、メラミン樹脂、不飽和ポリエステル系樹脂、ポリエーテル系樹脂、アルキド樹脂等を単体または２種以上の異なる樹脂をブレンドまたは共重合したものから適宜選択して用いることができるが、耐衝撃性、破損ガラス飛散防止性、透明性、自己修復性、耐熱性、耐久性等のバランスを考慮すると、ウレタン系アクリル樹脂及びポリエーテル系樹脂、またはシリコーン系樹脂がより好ましい。このような樹脂を熱硬化もしくは光硬化させシート化することにより、耐衝撃性能を持たせることができるとともに、ディスプレイとして必要な透明性と長期信頼性も同時に得ることができる。衝撃吸収層１８ｂは、柔軟な材料を用いるため、親水性の高いガラス基板にそのまま貼合すると、その自重で変形することがあるため、図４のように樹脂フィルム１８ａで挟み込んで衝撃吸収フィルム１８としている。
【００２３】
樹脂フィルム１８ａとしては、透明性が良好でかつ機械的強度に優れるポリエステルフィルム、ポリアセチルセルロースフィルム、ポリアクリルフィルム、ポリカーボネートフィルム、エポキシ系フィルム、ポリウレタンフィルムなどのプラスチックフィルムを用いることが好ましい。
【００２４】
また、光学フィルム１９は、少なくとも近赤外線領域（波長７８０から１３００ｎｍ）の光を吸収し、さらに可視光の波長領域（波長３８０〜７８０ｎｍ）の光を、好ましくは特定波長領域の光を選択的に吸収できる色素を含有し、０．００１ｍｍ〜０．０５ｍｍ程度、より好ましくは０．０１ｍｍ〜０．０３ｍｍ程度とするのが好ましい。
【００２５】
また、電磁波シールドフィルム２０は、パネルから放射される電磁波を遮蔽し、他の家電機器等に電磁波ノイズによる影響を及ぼさないようにするためのもので、電磁波シールドフィルム２０としては、導電性金属のメッシュからなる導電層や、スパッタ法などの薄膜形成技術を用いて５〜２０ｎｍの金属膜、または金属膜と酸化物を多層に積層した導電性多層膜からなる透光性の導電層を用いることができる。
【００２６】
また、視聴側の最表面に配置される反射防止フィルム２１は、厚みが１００μｍ以上が好ましく、より好ましくは１５０μｍ以上が好ましい。さらに、反射防止フィルム２１は、樹脂フィルムの上に反射防止性を有している層が形成されていれば良いが、高剛性透明基板自身が万一破損した際に破片の飛散防止の観点から、機能フィルムの片面に低屈折率層を含む層を有しているものが好ましい。特にポリウレタン系軟質樹脂の片面に非結晶の含フッ素重合体からなる低屈折率層を有する反射防止膜が好ましい。
【００２７】
以上説明したように、本発明のディスプレイ装置によれば、前面側にパネル１０が配置されかつ背面側にパネル１０に信号を印加して表示を行う回路ブロック１２が配置される金属製のシャーシ部材１１と、このシャーシ部材１１の回路ブロック１２が配置された背面側を覆うように配設した金属製のバックカバー１４と、このバックカバー１４とともに筐体を構成する前面枠１５と、前記パネル１０の表示面に貼り付けることにより配置された透光性の前面フィルム１７とを備え、前面フィルム１７は、パネル１０の表示面側に配置されかつ２枚の樹脂フィルム１８ａ間に衝撃吸収層１８ｂを設けた衝撃吸収フィルム１８と、この衝撃吸収フィルム１８の前面側に配置され特定の波長の光を吸収する光学フィルターを構成する光学フィルム１９と、前記衝撃吸収フィルム１８と前記光学フィルム１９との間に配置されかつ電磁波シールドフィルターを構成する導電部の外部接続部２０ａが前記衝撃吸収フィルム１８の周縁部に表出するように配置した電磁波シールドフィルム２０とを重ね合わせて一体化することにより構成したことにより、前面保護ガラスを使用することなく、パネル１０に外部から衝撃が加えられても割れることがなく、しかもシャーシ部材１１とバックカバー１４とを電気的かつ機械的に接続してシールド構造を構成するとともに、前面フィルム１７において、前記電磁波シールドフィルム２０の表出した導電部の外部接続部２０ａをバックカバー１４に電気的に接続した構成としたことにより、簡単な構成で、ディスプレイからの電磁波の不要輻射を抑制することができる。
【産業上の利用可能性】
【００２８】
以上のように本発明によれば、薄型軽量のディスプレイ装置を得る上で有用な発明である。
【図面の簡単な説明】
【００２９】
【図１】本発明の一実施の形態によるプラズマディスプレイのパネル構造を示す斜視図
【図２】本発明の一実施の形態によるプラズマディスプレイを示す分解斜視図
【図３】同プラズマディスプレイの要部構造を示す断面図
【図４】同プラズマディスプレイの前面フィルムの構成を示す分解斜視図
【符号の説明】
【００３０】
１０  パネル
１１  シャーシ部材
１２  回路ブロック
１４  バックカバー
１５  前面枠
１７  前面フィルム
１８  衝撃吸収フィルム
１８ａ  樹脂フィルム
１８ｂ  衝撃吸収層
１９  光学フィルム
２０  電磁波シールドフィルム
２０ａ  外部接続部
【図１】
2010230977.tif 000003
【図２】
2010230977.tif 000004
【図３】
2010230977.tif 000005
【図４】
2010230977.tif 000006